(57)【要約】      （修正有）【課題】４つの隣接する生簀の間に取り付けられる養殖生簀の水交換浄化装置を提供する。【解決手段】浄水装置２０は下から上へ順次に沈殿池２０６と、生物浄化装置２０３０と、消毒装置２０１２と、貯水池２０１８とが設置され、沈殿池２０６の中央の位置に撹拌装置２０７が設置され、撹拌装置２０７の下方に沈殿ストレーナ２０４が設けられ、沈殿ストレーナ２０４の下方に雑物吸入装置２０３が設けられ、雑物吸入装置２０３の上に雑物吸入ダクト２０５が設けられ、雑物排出口２０２３が対応して雑物収納箱２０２５の頂部に設置され、沈殿池２０６の側壁上に４つの生簀１０の分布方向に沿ってそれぞれ４つの汲み上げポンプ２０１１が設置され、生物浄化した後の溶液が消毒装置２０１２で消毒され、消毒が完了した後に出水管２０１５へ進入して、回転装置２０１６の作用で交換要求がある生簀１０へ送水し交換浄化を行う。【選択図】図１
2019170357.tif 000002
【特許請求の範囲】
【請求項１】
養殖生簀の水交換浄化装置であって、浄水装置（２０）は４つの隣接する生簀（１０）の間に取り付けられ、前記浄水装置（２０）は下から上へ順次に沈殿池（２０６）と、生物浄化装置（２０３０）と、消毒装置（２０１２）と、貯水池（２０１８）とが設置され、前記沈殿池（２０６）の中央の位置に撹拌装置（２０７）が設けられ、前記撹拌装置（２０７）の下方に沈殿ストレーナ（２０４）が設けられ、前記沈殿ストレーナ（２０４）の下方に雑物吸入装置（２０３）が設けられ、前記雑物吸入装置（２０３）の上に浄水装置（２０）の外側に沿って鉛直方向上方へ雑物を排出する雑物吸入ダクト（２０５）が設けられ、前記雑物吸入ダクト（２０５）の上に雑物排出口（２０２３）が設置され、前記雑物排出口（２０２３）が対応して雑物収納箱（２０２５）の頂部に設置され、前記雑物収納箱（２０２５）は筒状の収納箱であって、底部にホイル（２０２６）が設けられ、雑物収納箱（２０２５）の底部に蓋板（２０２７）が更に設けられ、前記蓋板（２０２７）が前記浄水装置（２０）と前記生簀（１０）の間に設置され、前記沈殿池（２０６）の側壁の上に４つの前記生簀（１０）の分布方向に沿ってそれぞれ４つの汲み上げポンプ（２０１）が設置され、前記汲み上げポンプ（２０１）の外側にストレーナ（２０２）が被覆・設置され、前記生物浄化装置（２０３０）は、活性炭層（２０８）と、曝気リング（２０９）と、曝気孔（２０１０）と、汲み上げポンプ（２０１１）と、シールリング（２０２８）と、吐出ヘッド（２０２９）と、曝気装置（２０２１）と、バイオフィラー（２０２２）と、加圧ポンプ（２０２４）とを備え、前記生物浄化装置（２０３０）はシールリング（２０２８）を介して前記沈殿池（２０６）と密接され、前記活性炭層（２０８）は生物浄化装置（２０３０）の底部に設置され、前記加圧ポンプ（２０２４）は前記活性炭層（２０８）の頂部に設置され、加圧ポンプ（２０２４）と吐出ヘッド（２０２９）とが接続され、前記バイオフィラー（２０２２）は前記吐出ヘッド（２０２９）の上方に設置され、汲み上げポンプ（２０１１）は前記バイオフィラー（２０２２）の上方に設置され、曝気リング（２０９）は前記生物浄化装置（２０３０）の側壁の周りに設置され、前記曝気リング（２０９）上に前記曝気孔（２０１０）が設置され、前記曝気孔（２０１０）と前記曝気装置（２０２１）とが接続され、消毒装置（２０１２）の給水端がダクトを介して前記生物浄化装置（２０３０）に接続され、前記消毒装置（２０１２）の出水端と貯水池（２０１８）とが接続され、前記貯水池（２０１８）は薬液注入管（２０１３）と、薬液注入孔（２０１４）と、出水管（２０１５）と、回転装置（２０１６）と、ＰＨセンサ（２０１７）と、制御パネル（２０１９）と、出水ポンプ（２０３１）とを備え、前記貯水池（２０１８）は正方体の形状であり、前記出水ポンプ（２０３１）が前記貯水池（２０１８）内に設置され、前記出水ポンプ（２０３１）と前記出水管（２０１５）とが接続され、前記出水管（２０１５）の上に前記回転装置（２０１６）が設置され、前記薬液注入孔（２０１４）が前記回転装置（２０１６）の左側に設置され、前記薬液注入孔（２０１４）と前記薬液注入管（２０１３）とが接続され、前記ＰＨセンサ（２０１７）が前記貯水池（２０１８）の内壁上に固着され、前記貯水池（２０１８）と酸素発生装置（２０２０）とが接続され、制御パネル（２０１９）が撹拌装置（２０７）と、前記酸素発生装置（２０２０）と、前記ＰＨセンサ（２０１７）と、前記出水ポンプ（２０３１）と、前記消毒装置（２０１２）と、前記汲み上げポンプ（２０１１）と、前記曝気装置（２０２１）と、前記加圧ポンプ（２０２４）と、前記汲み上げポンプ（２０１）と電気的に接続されることを特徴とする養殖生簀の水交換浄化装置。
【請求項２】
前記バイオフィラー（２０２２）の調製方法として、ＳｉＯ２とＡｌ２Ｏ３を４:１の質量比で混合させ６０ー８０メッシュに粉砕して混合物粒子を得て、そして、前記混合物粒子を９５０ー１０５０℃の高温下で３ー５時間焼成し、室温まで冷却すると、３ー５ｍｍの吸着性粒子に破砕する準備をして、１０ｇの粉末キトサンを計量し、１５００ー２０００ｇの質量濃度３０ー４０％の氷酢酸を配合し透明ゴム液を調製し、激しく撹拌しながら１０ー１５ｍｏｌ／ＬのＮａ２ＣＯ３を配合し、溶液のＰＨが６．８ー７．２になるように調節し、析出したキトサンゲルを遠心洗浄してから、ゲル体積に対する菌液体積の体積比１:１００ー１２０で微生物菌液をゲルに配合するとともに、ゲル体積５ー８％の２ー５％（ｖ／ｖ）のグルタルアルデヒド溶液とゲル体積３ー５％の１ー２％（ｗ／ｖ）の塩化カルシウム溶液を配合し、そして、１:１．５の体積比で前記吸着性粒子を配合し、５ー１０ｍｍの小球を凝集して、５ー１０℃で放置して１２ー２４ｈ架橋させ、生理食塩水で洗浄することによって前記バイオフィラー（２０２２）を得ることを特徴とする請求項１に記載の養殖生簀の水交換浄化装置。
【請求項３】
前記回転装置（２０１６）は中空ピラー（２０１６ａ）と、第１の回転軸受（２０１６ｂ）と、第２の回転軸受（２０１６ｃ）と、回転ベース（２０１６ｄ）とを備え、回転ベース（２０１６ｄ）がねじで貯水池（２０１８）の頂部に固定され、回転ベース（２０１６ｄ）の上面が第２の回転軸受（２０１６ｃ）に接続され、第２の回転軸受（２０１６ｃ）の上面に前記第１の回転軸受（２０１６ｂ）が設置され、前記中空ピラー（２０１６ａ）が上から下へ順次に第１の回転軸受（２０１６ｂ）と、第２の回転軸受（２０１６ｃ）と、回転ベース（２０１６ｄ）の中心位置を貫通していることを特徴とする請求項１に記載の養殖生簀の水交換浄化装置。
【請求項４】
前記酸素発生装置（２０２０）は空気分離酸素発生装置であり、省エネルギー型インバータ式の空気圧縮機を採用することを特徴とする請求項１に記載の養殖生簀の水交換浄化装置。
【請求項５】
前記雑物吸入装置（２０３）は強力汚泥自吸ポンプであることを特徴とする請求項１に記載の養殖生簀の水交換浄化装置。
【請求項６】
前記消毒装置（２０１２）は紫外線消毒システムであり、紫外線消毒システムの紫外線灯が四連中圧水銀灯ランプ群を採用して、給水流速が３０ー５０ガロン／分であることを特徴とする請求項１に記載の養殖生簀の水交換浄化装置。
【請求項７】
前記吐出ヘッド（２０２９）は細い水管（２０２９ａ）と、加圧弁（２０２９ｂ）と、内部チャンバ（２０２９ｃ）と、出水ヘッド（２０２９ｄ）とを備え、前記細い水管（２０２９ａ）が加圧弁（２０２９ｂ）と接続され、内部チャンバ（２０２９ｃ）が加圧弁（２０２９ｂ）内に設置され、内部チャンバ（２０２９ｃ）が出水ヘッド（２０２９ｄ）と接続され、３つの出水ヘッド（２０２９ｄ）が正三角形形状に分布して配されていることを特徴とする請求項１に記載の養殖生簀の水交換浄化装置。
【発明の詳細な説明】
【技術分野】
【０００１】
本発明は、汚水処理の技術分野に関して、具体的には養殖生簀の水交換浄化装置に関する。
【背景技術】
【０００２】
「養魚にはまず水質を改善」、「良い水質良い魚」と言われているが、養魚には水質が重要である。養殖過程中に水質を良く制御できれば、魚、蝦、蟹類の成長速度を向上し、疾病を低減し、高収量、高品質の目的を実現することができる。水質悪化により水産養殖業に極大悪影響を与え、水質が変化すると、水質悪化により魚が病気になる場合が多い。
【０００３】
生簀の水質悪化の要因として以下の通りである。１．外部からの汚染。長時間に汚染され又は正しくない消毒操作によって、水質悪化になる。２．栄養損失。適合に栄養を投入しなかったために、魚類の消耗による栄養損失になり、水中の微生物が大幅低減し、水質が悪化し、収量が低減する。３．調節能力が失う。微生物のバランスが破壊され、有害微生物が支配的になり、水系植物が大幅増加し、魚類の成長速度低下や水系酸素不足を招い、魚類が息苦しく死に導く。４．生簀底部の泥が変質または汚染される。定期に生簀を消毒せず、生簀の底部の泥が腐敗または水系が劣化し、魚類が病気になり、最終的に魚の伝染病に招く。５．外部環境の急激変化。高温豪雨により水系の酸素不足になり、藍藻が爆発的に生長し、魚類が息苦しく死に導く要因である。
【０００４】
従来、生簀水の浄化について生物化学方法が良く使用されているが、例えば主成分が複数種類の有益菌及び酵素の超濃縮複合体である浄水粉を使用し、効果的に栄養不足、濁り、黒い水、赤い水、醤油のような色、藍藻水、水質悪化により酸素不足による浮上症状を改善し、水系中のアンモニア窒素を迅速に窒素に変換して水面から放出させ、水中の亜硝酸塩の含有量を低減し、迅速に生簀底部の有機雑物を分解し、生簀底部の栄養過剰を防止すると共に、アンモニア窒素などの有害物質を除去し、微量元素を補充し、有益藻類の成長に寄与し、水系環境を改善する。
【０００５】
しかしながら、長時間に生物化学方法を採用すると環境に対する破壊が酷く、特に時間の経過に従って、生簀の汚水に含まれる化学物質が多くなり、魚蝦類の成長繁殖に悪影響を及ぼし、かつ直接排水も環境汚染や水資源の浪費に招く。従って、物理浄化の方法がますます注目されているが、新規な生簀浄水装置及び生簀養殖方法もますます広く使用されている。
【先行技術文献】
【特許文献】
【０００６】
【特許文献１】中国特許出願公開第106889010号明細書
【発明の概要】
【発明が解決しようとする課題】
【０００７】
以上の技術的な課題に対して、本発明は生簀分布や建設初期から複数の生簀の間の水資源交換を考慮した新規な浄水装置を提供する。
【課題を解決するための手段】
【０００８】
本発明に係る養殖生簀の水交換浄化装置によれば、上記浄水装置は４つの隣接する生簀の間に取り付けられ、浄水装置は下から上へ順次に沈殿池と、生物浄化装置と、消毒装置と、貯水池とが設置され、上記沈殿池の中央の位置に撹拌装置が設けられ、撹拌装置の下方に沈殿ストレーナが設けられ、沈殿ストレーナの下方に雑物吸入装置が設けられ、雑物吸入装置の上に浄水装置の外側に沿って鉛直方向上方へ雑物を排出する雑物吸入ダクトが設けられ、雑物吸入ダクトの上に雑物排出口が設置され、雑物排出口が対応して雑物収納箱の頂部に設置され、雑物収納箱は筒状の収納箱であって、底部にホイルが設けられ、雑物収納箱の底部に蓋板が更に設けられ、蓋板が浄水装置と生簀の間に設置され、沈殿池の側壁の上に４つの生簀の分布方向に沿ってそれぞれ４つの汲み上げポンプが設置され、汲み上げポンプの外側にストレーナが被覆・設置され、上記の生物浄化装置は、活性炭層と、曝気リングと、曝気孔と、汲み上げポンプと、シールリングと、吐出ヘッドと、曝気装置と、バイオフィラーと、加圧ポンプとを備え、生物浄化装置はシールリングを介して沈殿池と密接され、上記活性炭層は生物浄化装置の底部に設置され、加圧ポンプは活性炭層の頂部に設置され、加圧ポンプと吐出ヘッドとが接続され、上記バイオフィラーは吐出ヘッドの上方に設置され、汲み上げポンプはバイオフィラーの上方に設置され、曝気リングは生物浄化装置の側壁の周りに設置され、曝気リング上に上記曝気孔が設置され、曝気孔と曝気装置とが接続され、消毒装置の給水端がダクトを介して生物浄化装置に接続され、消毒装置の出水端と貯水池とが接続され、上記の貯水池は薬液注入管と、薬液注入孔と、出水管と、回転装置と、ＰＨセンサと、制御パネルと、出水ポンプとを備え、上記貯水池は正方体の形状であり、出水ポンプが貯水池内に設置され、出水ポンプと出水管とが接続され、出水管の上に上記回転装置が設置され、薬液注入孔が回転装置の左側に設置され、薬液注入孔と薬液注入管とが接続され、ＰＨセンサが貯水池の内壁上に固着され、貯水池と酸素発生装置とが接続され、制御パネルが撹拌装置と、酸素発生装置と、ＰＨセンサと、出水ポンプと、消毒装置と、汲み上げポンプと、曝気装置と、加圧ポンプと、汲み上げポンプと電気的に接続される養殖生簀の水交換浄化装置である。
【０００９】
好ましくは、上記のバイオフィラー（２０２２）の調製方法として、ＳｉＯ２とＡｌ２Ｏ３を４:１の質量比で混合させ６０ー８０メッシュに粉砕して混合物粒子を得て、そして、上記混合物粒子を９５０ー１０５０℃の高温下で３ー５時間焼成し、室温まで冷却すると、３ー５ｍｍの吸着性粒子に破砕する準備をして、１０ｇの粉末キトサンを計量し、１５００ー２０００ｇの質量濃度３０ー４０％の氷酢酸を配合し透明ゴム液を調製し、激しく撹拌しながら１０ー１５ｍｏｌ／ＬのＮａ２ＣＯ３を配合し、溶液のＰＨが６．８ー７．２になるように調節し、析出したキトサンゲルを遠心洗浄してから、ゲル体積に対する菌液体積の体積比１:１００ー１２０で微生物菌液をゲルに配合するとともに、ゲル体積５ー８％の２ー５％（ｖ／ｖ）のグルタルアルデヒド溶液とゲル体積３ー５％の１ー２％（ｗ／ｖ）の塩化カルシウム溶液を配合し、そして、１:１．５の体積比で上記の吸着性粒子を配合し、５ー１０ｍｍの小球を凝集して、５ー１０℃で放置して１２ー２４ｈ架橋させ、生理食塩水で洗浄することによって上記のバイオフィラー（２０２２）を得、上記の吸着性粒子が多数のマイクロ細孔を含み、その比表面積が４００ー７００ｍ２／ｇである。
【００１０】
好ましくは、上記の微生物菌液は複合微生物種菌の組合溶液であり、その内、放線菌が５ー１０質量部、乳酸菌発酵液が２０ー３０質量部、機能バチルス発酵液が１０ー２０質量部、窒素固定菌発酵液が１５ー２５質量部、硝化細菌が１０ー３０質量部、ｍａｓｓｉｌｉｅｎｓｉｓバチルスが２ー６質量部、アンモニア化細菌が１０ー２０質量部、硫化細菌が１０ー２０質量部、オクロバクトラムが４０ー５０質量部であり、上記の複合微生物種菌の組合溶液中の微生物の総菌数が１０億／グラム以上であるので、効果的にアンモニア窒素及び硫化水素などの有害物質の含有量を低減し、水質を改善するとともに、水系や水底堆積物中の有機物、アンモニア窒素、亜硝酸性窒素を分解・吸収して有益または无害物質に変換することによって、環境浄化の目的を達成する。
【００１１】
好ましくは、上記の回転装置は中空ピラーと、第１の回転軸受と、第２の回転軸受と、回転ベースとを備え、回転ベースがねじで貯水池の頂部に固定され、回転ベースの上面が第２の回転軸受に接続され、第２の回転軸受の上面に上記第１の回転軸受が設置され、上記の中空ピラーが上から下へ順次に第１の回転軸受と、第２の回転軸受と、回転ベースとの中心位置を貫通し、第１の回転軸受と第２の回転軸受との回転交差補償によって、中空ピラーが異なる使用状態に対応するように３６０°自在的に回転することができる。
【００１２】
好ましくは、上記の酸素発生装置は空気分離酸素発生装置であり、省エネルギー型インバータ式の空気圧縮機を採用するとともに、サーバフィードバック装置で、空気圧縮機の回転数及びモータの負荷電流をインバータ調節することによって、出力パワーの整合を実現し、無駄の消耗電力を低減し、省エネルギーの目的を達成する。
【００１３】
好ましくは、上記の雑物吸入装置は強力汚泥自吸ポンプであり、吸水能力が強く、雑物が目詰なく通過する。
【００１４】
好ましくは、上記の消毒装置は紫外線消毒システムであり、紫外線消毒システムの紫外線灯が四連中圧水銀灯ランプ群を採用して、給水流速が３０ー５０ガロン／分であり、紫外線消毒がユニークな消毒副生物を生じない方法であるので,二次汚染の問題にならない。
【００１５】
好ましくは、上記吐出ヘッドは細い水管と、加圧弁と、内部チャンバと、出水ヘッドとを備え、細い水管が加圧弁と接続され、内部チャンバが加圧弁内に設置され、内部チャンバが出水ヘッドと接続され、３つの出水ヘッドが正三角形形状に分布して配されている。
【００１６】
本発明は、使用の過程中に、まず養殖生簀中の汚水をストレーナで濾過し、大きい固体雑物を除去して、汲み上げポンプによって沈殿池へ汲み上げて、沈殿池で撹拌装置の撹拌によって、汚水中の雑物を沈殿ストレーナによって濾過し、雑物を濾過した後で雑物吸入装置によって吸収した後に、雑物吸入ダクトから雑物排出口を介して雑物収納箱内へ排出し、雑物除去した後の汚水を活性炭層で吸着・濾過した後に、加圧ポンプによって、吐出ヘッドから吐出させ、そしてバイオフィラー中に曝気生物浄化を行い、生物浄化した後の溶液を消毒装置消毒へ移送させ、消毒した後に回転装置によって出水管から給水要求がある生簀へ移送させて交換浄化を行う。
【発明の効果】
【００１７】
従来技術と比べて、本発明の有益な効果は以下の通りである。
【００１８】
第１に、本発明の水交換浄化装置は構造設計が合理的で、実際の使用要求に該当し、生簀の設計建設の初期に、その取付位置を決定し、複数の生簀の汚水を同時にまたは個別に選択的に浄化することができる。
【００１９】
第２に、本発明の水交換浄化装置は多段の汚水雑物除去機能を有し、まず養殖生簀中の汚水をストレーナで濾過し、大きい固体雑物を除去して、汲み上げポンプによって沈殿池へ汲み上げて、沈殿池で撹拌装置の撹拌によって、汚水中の雑物を沈殿ストレーナによって濾過し、雑物を濾過した後で雑物吸入装置によって吸収した後に、雑物吸入ダクトから雑物排出口を介して雑物収納箱内へ排出することによって、全体のフローがスムーズで、目詰まりが生じにくい。
【００２０】
第３に、本発明の水交換浄化装置は吸着浄化及び消毒機能を有し、雑物除去した後の汚水を活性炭層で吸着・濾過した後に、加圧ポンプによって、吐出ヘッドから吐出させ、そしてバイオフィラー中に曝気生物浄化を行い、生物浄化した後の溶液を消毒装置消毒へ移送させ、消毒した後に回転装置によって出水管から給水要求がある生簀へ移送させて交換浄化を行う。
【００２１】
第４に、本発明の水交換浄化装置は生簀の水質浄化の過程中に、効果的に水資源を循環利用でき、省エネ、安全、環境保護という利点を有する。
【００２２】
第５に、本発明の水交換浄化装置は施工コストが低く、浄水効果が良く、水産養殖業の発展に寄与するとともに、良い経済的な利益を取得し、広く普及・応用に適合する。
【図面の簡単な説明】
【００２３】
【図１】図１は本発明の構造模式図である。
【図２】図２は本発明の取り付け位置を示す模式図である。
【図３】図３は本発明の回転装置の構造を示す模式図である。
【図４】図４は本発明の吐出ヘッドの構造を示す模式図である。
【発明を実施するための形態】
【００２４】
以下、具体的な実施例を参照して本発明を詳しく説明する。
【００２５】
実施例１：図２に示すように、養殖生簀の水交換浄化装置において、上記浄水装置２０は４つの隣接する生簀１０の間に取り付けられる。図１に示すように、浄水装置２０は下から上へ順次に沈殿池２０６と、生物浄化装置２０３０と、消毒装置２０１２と、貯水池２０１８とが設置され、上記沈殿池２０６の中央の位置に撹拌装置２０７が設けられ、撹拌装置２０７の下方に沈殿ストレーナ２０４が設けられる。
【００２６】
沈殿ストレーナ２０４の下方に雑物吸入装置２０３が設けられ、雑物吸入装置２０３は強力汚泥自吸ポンプであり、吸水能力が強く、雑物が目詰なく通過する。
【００２７】
雑物吸入装置２０３の上に浄水装置２０の外側に沿って鉛直方向上方へ雑物を排出する雑物吸入ダクト２０５が設けられ、雑物吸入ダクト２０５の上に雑物排出口２０２３が設置され、雑物排出口２０２３が対応して雑物収納箱２０２５の頂部に設置され、雑物収納箱２０２５は筒状の収納箱であって、底部にホイル２０２６が設けられ、雑物収納箱２０２５の底部に蓋板２０２７が更に設けられ、蓋板２０２７が浄水装置２０と生簀１０の間に設置され、沈殿池２０６の側壁の上に４つの生簀１０の分布方向に沿ってそれぞれ４つの汲み上げポンプ２０１が設置され、汲み上げポンプ２０１の外側にストレーナ２０２が被覆・設置され、上記の生物浄化装置２０３０は、活性炭層２０８と、曝気リング２０９と、曝気孔２０１０と、汲み上げポンプ２０１１と、シールリング２０２８と、吐出ヘッド２０２９と、曝気装置２０２１と、バイオフィラー２０２２と、加圧ポンプ２０２４とを備え、生物浄化装置２０３０はシールリング２０２８を介して沈殿池２０６と密接され、上記活性炭層２０８は生物浄化装置２０３０の底部に設置され、加圧ポンプ２０２４は活性炭層２０８の頂部に設置される。
【００２８】
加圧ポンプ２０２４と吐出ヘッド２０２９とが接続され、図４に示すように、吐出ヘッド２０２９は細い水管２０２９ａと、加圧弁２０２９ｂと、内部チャンバ２０２９ｃと、出水ヘッド２０２９ｄとを備え、細い水管２０２９ａが加圧弁２０２９ｂに接続され、内部チャンバ２０２９ｃが加圧弁２０２９ｂ内に設置され、内部チャンバ２０２９ｃが出水ヘッド２０２９ｄに接続され、３つの出水ヘッド２０２９ｄが正三角形形状に分布して配する。
【００２９】
上記バイオフィラー２０２２は吐出ヘッド２０２９の上方に設置され、汲み上げポンプ２０１１はバイオフィラー２０２２の上方に設置され、曝気リング２０９は生物浄化装置２０３０の側壁の周りに設置され、曝気リング２０９上に上記曝気孔２０１０が設置され、曝気孔２０１０と曝気装置２０２１とが接続される。
【００３０】
消毒装置２０１２の給水端がダクトを介して生物浄化装置２０３０に接続され、消毒装置２０１２は紫外線消毒システムであり、紫外線消毒システムの紫外線灯が四連中圧水銀灯ランプ群を採用して、給水流速が３０ガロン／分であり、紫外線消毒がユニークな消毒副生物を生じない方法であるので、二次汚染の問題にならない。
【００３１】
消毒装置２０１２の給水端がダクトを介して生物浄化装置２０３０に接続され、消毒装置２０１２の出水端が貯水池２０１８に接続され、上記の貯水池２０１８は薬液注入管２０１３と、薬液注入孔２０１４と、出水管２０１５と、回転装置２０１６と、ＰＨセンサ２０１７と、制御パネル２０１９と、出水ポンプ２０３１とを備え、貯水池２０１８は正方体の形状であり、出水ポンプ２０３１が貯水池２０１８内に設置され、出水ポンプ２０３１が出水管２０１５に接続される。
【００３２】
出水管２０１５の上に上記回転装置２０１６が設置され、回転装置２０１６は中空ピラー２０１６ａと、第１の回転軸受２０１６ｂと、第２の回転軸受２０１６ｃと、回転ベース２０１６ｄとを備え、回転ベース２０１６ｄがねじで貯水池２０１８の頂部に固定され、回転ベース２０１６ｄの上面が第２の回転軸受２０１６ｃに接続され、第２の回転軸受２０１６ｃの上面に上記第１の回転軸受２０１６ｂが設置され、上記の中空ピラー２０１６ａが上から下へ順次に第１の回転軸受２０１６ｂと、第２の回転軸受２０１６ｃと、回転ベース２０１６ｄの中心位置を貫通し、第１の回転軸受と第２の回転軸受の回転交差補償によって、中空ピラーが異なる使用状態に対応するように３６０°自在的に回転することができる。
【００３３】
酸素発生装置は空気分離酸素発生装置であり、省エネルギー型インバータ式の空気圧縮機を採用するとともに、サーバフィードバック装置で、空気圧縮機の回転数及びモータの負荷電流をインバータ調節することによって、出力パワーの整合を実現し、無駄の消耗電力を低減し、省エネルギーの目的を達成する。
【００３４】
図３に示すように、薬液注入孔２０１４が回転装置２０１６の左側に設置され、薬液注入孔２０１４が薬液注入管２０１３に接続され、ＰＨセンサ２０１７が貯水池２０１８の内壁上に固着され、貯水池２０１８が酸素発生装置２０２０に接続され、制御パネル２０１９が撹拌装置２０７と、酸素発生装置２０２０と、ＰＨセンサ２０１７と、出水ポンプ２０３１と、消毒装置２０１２と、汲み上げポンプ２０１１と、曝気装置２０２１と、加圧ポンプ２０２４と、汲み上げポンプ２０１と電気的に接続されている。
【００３５】
ただし、バイオフィラー２０２２の調製方法として、ＳｉＯ２とＡｌ２Ｏ３を４:１の質量比で混合させ６０メッシュに粉砕して混合物粒子を得て、そして上記混合物粒子を９５０ー１０５０℃の高温下で３時間焼成し、室温まで冷却すると、３ｍｍの吸着性粒子に破砕する準備をして、１０ｇの粉末キトサンを計量し、１５００ｇの質量濃度３０％の氷酢酸を配合し透明ゴム液を調製し、激しく撹拌しながら１０ｍｏｌ／ＬのＮａ２ＣＯ３を配合し、溶液のＰＨが６．８になるように調節し、析出したキトサンゲルを遠心洗浄してから、ゲル体積に対する菌液体積の体積比１:１００で微生物菌液をゲルに配合するとともに、ゲル体積５％の２％（ｖ／ｖ）のグルタルアルデヒド溶液とゲル体積３％の１％（ｗ／ｖ）の塩化カルシウム溶液を配合し、そして１:１．５の体積比で上記の吸着性粒子を配合し、５ｍｍの小球を凝集して、５℃で放置して１２ｈ架橋させ、生理食塩水で洗浄することによって、上記のバイオフィラー２０２２を得て、上記の吸着性粒子は多数のマイクロ細孔を含み、その比表面積が４００ｍ２／ｇである。
【００３６】
微生物菌液は複合微生物種菌の組合溶液であり、その内、放線菌が５質量部、乳酸菌発酵液が２０質量部、機能バチルス発酵液が１０質量部、窒素固定菌発酵液が１５質量部、硝化細菌が１０質量部、ｍａｓｓｉｌｉｅｎｓｉｓバチルスが２質量部、アンモニア化細菌が１０質量部、硫化細菌が１０質量部、オクロバクトラムが４０質量部であり、複合微生物種菌の組合溶液中の微生物の総菌数が１０億／グラム以上であるので、効果的にアンモニア窒素及び硫化水素などの有害物質の含有量を低減し、水質を改善するとともに、水系や水底堆積物中の有機物、アンモニア窒素、亜硝酸性窒素を分解・吸収して有益または无害物質に変換することによって、環境浄化の目的を達成する。
【００３７】
実施例２：以下の点で実施例１と異なる。
【００３８】
バイオフィラー２０２２の調製方法として、ＳｉＯ２とＡｌ２Ｏ３を４:１の質量比で混合させ７０メッシュに粉砕して混合物粒子を得て、そして上記混合物粒子を１０００℃の高温下で４時間焼成し、室温まで冷却すると、４ｍｍの吸着性粒子に破砕する準備をして、１０ｇの粉末キトサンを計量し、１７５０ｇの質量濃度３５％の氷酢酸を配合し透明ゴム液を調製し、激しく撹拌しながら１２．５ｍｏｌ／ＬのＮａ２ＣＯ３を配合し、溶液のＰＨが７．０になるように調節し、析出したキトサンゲルを遠心洗浄してから、ゲル体積に対する菌液体積の体積比１:１１０で微生物菌液をゲルに配合するとともに、ゲル体積６．５％の３．５％（ｖ／ｖ）のグルタルアルデヒド溶液とゲル体積４％の１．５％（ｗ／ｖ）の塩化カルシウム溶液を配合し、そして１:１．５の体積比で上記の吸着性粒子を配合し、７ｍｍの小球を凝集して、８℃で放置して１８ｈ架橋させ、生理食塩水で洗浄することによって、上記のバイオフィラー２０２２を得て、上記の吸着性粒子は多数のマイクロ細孔を含み、その比表面積が５００ｍ２／ｇである。
【００３９】
微生物菌液は複合微生物種菌の組合溶液であり、その内、放線菌が７．５質量部、乳酸菌発酵液が２５質量部、機能バチルス発酵液が１５質量部、窒素固定菌発酵液が２０質量部、硝化細菌が２０質量部、ｍａｓｓｉｌｉｅｎｓｉｓバチルスが４質量部、アンモニア化細菌が１５質量部、硫化細菌が１５質量部、オクロバクトラムが４５質量部であり、複合微生物種菌の組合溶液中の微生物の総菌数が１０億／グラム以上であるので、効果的にアンモニア窒素及び硫化水素などの有害物質の含有量を低減し、水質を改善するとともに、水系や水底堆積物中の有機物、アンモニア窒素、亜硝酸性窒素を分解・吸収して有益或无害物質に変換することによって、環境浄化の目的を達成する。
【００４０】
実施例３：以下の点で実施例１と異なる。
【００４１】
バイオフィラー２０２２の調製方法として、ＳｉＯ２とＡｌ２Ｏ３を４:１の質量比で混合させ８０メッシュに粉砕して混合物粒子を得て、そして上記混合物粒子を１０５０℃の高温下で５時間焼成し、室温まで冷却すると、３ー５ｍｍの吸着性粒子に破砕する準備をして、１０ｇの粉末キトサンを計量し、２０００ｇの質量濃度４０％の氷酢酸を配合し透明ゴム液を調製し、激しく撹拌しながら１５ｍｏｌ／ＬのＮａ２ＣＯ３を配合し、溶液のＰＨが７．２になるように調節し、析出したキトサンゲルを遠心洗浄してから、ゲル体積に対する菌液体積の体積比１:１２０で微生物菌液をゲルに配合すると共に、ゲル体積８％の５％（ｖ／ｖ）のグルタルアルデヒド溶液とゲル体積５％の２％（ｗ／ｖ）の塩化カルシウム溶液を配合し、そして１:１．５の体積比で上記の吸着性粒子を配合し、１０ｍｍの小球を凝集して、１０℃で放置して２４ｈ架橋させ、生理食塩水で洗浄することによって、上記のバイオフィラー２０２２を得て、上記の吸着性粒子は多数のマイクロ細孔を含み、その比表面積が７００ｍ２／ｇである。
【００４２】
微生物菌液は複合微生物種菌の組合溶液であり、その内、放線菌が１０質量部、乳酸菌発酵液が３０質量部、機能バチルス発酵液が２０質量部、窒素固定菌発酵液が２５質量部、硝化細菌が３０質量部、ｍａｓｓｉｌｉｅｎｓｉｓバチルスが６質量部、アンモニア化細菌が２０質量部、硫化細菌が２０質量部、オクロバクトラムが５０質量部であり、複合微生物種菌の組合溶液中の微生物の総菌数が１０億／グラム以上であるので、効果的にアンモニア窒素及び硫化水素などの有害物質の含有量を低減し、水質を改善するとともに、水系や水底堆積物中の有機物、アンモニア窒素、亜硝酸性窒素を分解・吸収して有益或无害物質に変換することによって、環境浄化の目的を達成する。
【００４３】
本発明は、使用の過程中に、まず養殖生簀中の汚水をストレーナ２０２で濾過し、大きい固体雑物を除去して、汲み上げポンプ２０１１によって沈殿池２０６へ汲み上げて、沈殿池２０６で撹拌装置２０７の撹拌によって、汚水中の雑物を沈殿ストレーナ２０４によって濾過し、雑物を濾過した後で雑物吸入装置２０３によって吸収した後に、雑物吸入ダクト２０５から雑物排出口２０２３を介して雑物収納箱２０２５内へ排出し、雑物除去した後の汚水を活性炭層２０８で吸着・濾過した後に、加圧ポンプ２０２４によって、吐出ヘッド２０２９から吐出させ、そしてバイオフィラー２０２２中に曝気生物浄化を行い、生物浄化した後の溶液を消毒装置２０１２へ移送させ、消毒した後に回転装置２０１６によって出水管２０１５から給水要求がある生簀へ移送させて交換浄化を行う。
【００４４】
以上の実施例は本発明の技術手段を説明するするもので、制限するものではなく、前記実施例によって本発明を詳しく説明したが、当業者にとって、前記実施例に記載した技術手段を変更し、またはその一部の技術的特徴を均等な置換でき、本発明の技術手段の本質から逸脱しない限り、それらの変更や置換も本発明の実施例の技術手段の精神や範囲に含まれる。
【符号の説明】
【００４５】
１０    生簀
２０    浄水装置
２０１    汲み上げポンプ
２０２    ストレーナ
２０３    雑物吸入装置
２０４    沈殿ストレーナ
２０５    雑物吸入ダクト
２０６    沈殿池
２０７    撹拌装置
２０８    活性炭層
２０９    曝気リング
２１０    曝気孔
２０１１    汲み上げポンプ
２０１２    消毒装置
２０１３    薬液注入管
２０１４    薬液注入孔
２０１５    出水管
２０１６    回転装置
２０１６ａ    中空ピラー
２０１６ｂ    第１の回転軸受
２０１６ｃ    第２の回転軸受
２０１６ｄ    回転ベース
２０１７    ＰＨセンサ
２０１８    貯水池
２０１９    制御パネル
２０２０    酸素発生装置
２０２１    曝気装置
２０２２    バイオフィラー
２０２３    雑物排出口
２０２４    加圧ポンプ
２０２５    雑物収納箱
２０２６    ホイル
２０２７    蓋板
２０２８    シールリング
２０２９    吐出ヘッド
２０２９ａ    細い水管
２０２９ｂ    加圧弁
２０２９ｃ    内部チャンバ
２０２９ｄ    出水ヘッド
２０３０    生物浄化装置
２０３１    出水ポンプ
【図１】
2019170357.tif 000003
【図２】
2019170357.tif 000004
【図３】
2019170357.tif 000005
【図４】
2019170357.tif 000006
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
養殖生簀の水交換浄化装置であって、浄水装置（２０）は４つの隣接する生簀（１０）の間に取り付けられ、前記浄水装置（２０）は下から上へ順次に沈殿池（２０６）と、生物浄化装置（２０３０）と、消毒装置（２０１２）と、貯水池（２０１８）とが設置され、前記沈殿池（２０６）の中央の位置に撹拌装置（２０７）が設けられ、前記撹拌装置（２０７）の下方に沈殿ストレーナ（２０４）が設けられ、前記沈殿ストレーナ（２０４）の下方に雑物吸入装置（２０３）が設けられ、前記雑物吸入装置（２０３）の上に浄水装置（２０）の外側に沿って鉛直方向上方へ雑物を排出する雑物吸入ダクト（２０５）が設けられ、前記雑物吸入ダクト（２０５）の上に雑物排出口（２０２３）が設置され、前記雑物排出口（２０２３）が対応して雑物収納箱（２０２５）の頂部に設置され、前記雑物収納箱（２０２５）は筒状の収納箱であって、底部にホイール（２０２６）が設けられ、雑物収納箱（２０２５）の底部に蓋板（２０２７）が更に設けられ、前記蓋板（２０２７）が前記浄水装置（２０）と前記生簀（１０）の間に設置され、前記沈殿池（２０６）の側壁の上に４つの前記生簀（１０）の分布方向に沿ってそれぞれ４つの汲み上げポンプ（２０１）が設置され、前記汲み上げポンプ（２０１）の外側にストレーナ（２０２）が被覆・設置され、前記生物浄化装置（２０３０）は、活性炭層（２０８）と、曝気リング（２０９）と、曝気孔（２０１０）と、汲み上げポンプ（２０１１）と、シールリング（２０２８）と、吐出ヘッド（２０２９）と、曝気装置（２０２１）と、バイオフィラー（２０２２）と、加圧ポンプ（２０２４）とを備え、前記生物浄化装置（２０３０）はシールリング（２０２８）を介して前記沈殿池（２０６）と密接され、前記活性炭層（２０８）は生物浄化装置（２０３０）の底部に設置され、前記加圧ポンプ（２０２４）は前記活性炭層（２０８）の頂部に設置され、加圧ポンプ（２０２４）と吐出ヘッド（２０２９）とが接続され、前記バイオフィラー（２０２２）は前記吐出ヘッド（２０２９）の上方に設置され、汲み上げポンプ（２０１１）は前記バイオフィラー（２０２２）の上方に設置され、曝気リング（２０９）は前記生物浄化装置（２０３０）の側壁の周りに設置され、前記曝気リング（２０９）上に前記曝気孔（２０１０）が設置され、前記曝気孔（２０１０）と前記曝気装置（２０２１）とが接続され、消毒装置（２０１２）の給水端がダクトを介して前記生物浄化装置（２０３０）に接続され、前記消毒装置（２０１２）の出水端と貯水池（２０１８）とが接続され、前記貯水池（２０１８）は薬液注入管（２０１３）と、薬液注入孔（２０１４）と、出水管（２０１５）と、回転装置（２０１６）と、ＰＨセンサ（２０１７）と、制御パネル（２０１９）と、出水ポンプ（２０３１）とを備え、前記貯水池（２０１８）は正方体の形状であり、前記出水ポンプ（２０３１）が前記貯水池（２０１８）内に設置され、前記出水ポンプ（２０３１）と前記出水管（２０１５）とが接続され、前記出水管（２０１５）の上に前記回転装置（２０１６）が設置され、前記薬液注入孔（２０１４）が前記回転装置（２０１６）の左側に設置され、前記薬液注入孔（２０１４）と前記薬液注入管（２０１３）とが接続され、前記ＰＨセンサ（２０１７）が前記貯水池（２０１８）の内壁上に固着され、前記貯水池（２０１８）と酸素発生装置（２０２０）とが接続され、制御パネル（２０１９）が撹拌装置（２０７）と、前記酸素発生装置（２０２０）と、前記ＰＨセンサ（２０１７）と、前記出水ポンプ（２０３１）と、前記消毒装置（２０１２）と、前記汲み上げポンプ（２０１１）と、前記曝気装置（２０２１）と、前記加圧ポンプ（２０２４）と、前記汲み上げポンプ（２０１）と電気的に接続されることを特徴とする養殖生簀の水交換浄化装置。
【請求項２】
前記回転装置（２０１６）は中空ピラー（２０１６ａ）と、第１の回転軸受（２０１６ｂ）と、第２の回転軸受（２０１６ｃ）と、回転ベース（２０１６ｄ）とを備え、回転ベース（２０１６ｄ）がねじで貯水池（２０１８）の頂部に固定され、回転ベース（２０１６ｄ）の上面が第２の回転軸受（２０１６ｃ）に接続され、第２の回転軸受（２０１６ｃ）の上面に前記第１の回転軸受（２０１６ｂ）が設置され、前記中空ピラー（２０１６ａ）が上から下へ順次に第１の回転軸受（２０１６ｂ）と、第２の回転軸受（２０１６ｃ）と、回転ベース（２０１６ｄ）の中心位置を貫通していることを特徴とする請求項１に記載の養殖生簀の水交換浄化装置。
【請求項３】
前記酸素発生装置（２０２０）は空気分離酸素発生装置であり、省エネルギー型インバータ式の空気圧縮機を採用することを特徴とする請求項１に記載の養殖生簀の水交換浄化装置。
【請求項４】
前記雑物吸入装置（２０３）は強力汚泥自吸ポンプであることを特徴とする請求項１に記載の養殖生簀の水交換浄化装置。
【請求項５】
前記消毒装置（２０１２）は紫外線消毒システムであり、紫外線消毒システムの紫外線灯が四連中圧水銀灯ランプ群を採用して、給水流速が３０ー５０ガロン／分であることを特徴とする請求項１に記載の養殖生簀の水交換浄化装置。
【請求項６】
前記吐出ヘッド（２０２９）は細い水管（２０２９ａ）と、加圧弁（２０２９ｂ）と、内部チャンバ（２０２９ｃ）と、出水ヘッド（２０２９ｄ）とを備え、前記細い水管（２０２９ａ）が加圧弁（２０２９ｂ）と接続され、内部チャンバ（２０２９ｃ）が加圧弁（２０２９ｂ）内に設置され、内部チャンバ（２０２９ｃ）が出水ヘッド（２０２９ｄ）と接続され、３つの出水ヘッド（２０２９ｄ）が正三角形形状に分布して配されていることを特徴とする請求項１に記載の養殖生簀の水交換浄化装置。